(57)【要約】      （修正有）【課題】異なる種類の媒体を用いたり、異環境下において印刷を行ったとしても、適切なレジスト効果を得ることができる媒体搬送装置及び画像形成装置の提供。【解決手段】レジストローラニップ部に媒体先端を当接させて撓ませた後、レジストローラ３０１を回転させて媒体を搬送させるレジストユニットを有する媒体搬送装置であって、レジストユニットは、レジストローラ近傍に設けられた軸支部材と、軸支部材を回転中心とするガイド部材とを備え、ガイド部材は、軸支部材による軸支位置近傍に突起状領域５０１ｆが形成され、媒体搬送方向下流側から上流側にかけて媒体の撓み形状に対応した湾曲状領域５０１ｅが形成されていることを特徴とする媒体搬送装置及びこれを搬送手段として備えた画像形成装置。【選択図】図３
2013170018.tif 000002
【特許請求の範囲】
【請求項１】
レジストローラニップ部に媒体先端を当接させて撓ませた後、レジストローラを回転させて媒体を搬送させるレジストユニットを有する媒体搬送装置であって、
前記レジストユニットは、
前記レジストローラ近傍に設けられた軸支部材と、前記軸支部材を回転中心とするガイド部材とを備え、
前記ガイド部材は、
前記軸支部材による軸支位置近傍に突起状領域が形成され、媒体搬送方向下流側から上流側にかけて前記媒体の撓み形状に対応した湾曲状領域が形成されていることを特徴とする媒体搬送装置。
【請求項２】
前記ガイド部材は、
前記媒体の撓みに伴い、前記突起状領域と媒体搬送路とによって形成されるガイド幅が前記媒体の撓み前に比べて狭くなるように回転することを特徴とする請求項１記載の媒体搬送装置。
【請求項３】
前記軸支部材は、
前記媒体の撓みに伴う前記ガイド部材の回転方向に対して抗する方向に前記ガイド部材を付勢する付勢部材を備えることを特徴とする請求項１、又は請求項２記載の媒体搬送装置。
【請求項４】
前記ガイド部材は、
透明な材質で形成されることを特徴とする請求項１乃至請求項３の何れか１項記載の媒体搬送装置。
【請求項５】
媒体を搬送させる媒体搬送手段と、
搬送された前記媒体に画像を形成する画像形成手段とを有し、
前記媒体搬送手段は、
レジストローラニップ部に媒体先端を当接させて撓ませた後、レジストローラを回転させて媒体を搬送させるレジストユニットを有し、
前記レジストユニットは、
前記レジストローラ近傍に設けられた軸支部材と、前記軸支部材を回転中心とするガイド部材とを備え、
前記ガイド部材は、
前記軸支部材による軸支位置近傍に突起状領域が形成され、媒体搬送方向下流側から上流側にかけて前記媒体の撓み形状に対応した湾曲状領域が形成されていることを特徴とする画像形成装置。
【請求項６】
前記ガイド部材は、
前記媒体の撓みに伴い、前記突起状領域と媒体搬送路とによって形成されるガイド幅が前記媒体の撓み前に比べて狭くなるように回転することを特徴とする請求項５記載の画像形成装置。
【請求項７】
前記画像形成手段は、
前記ガイド部材の湾曲状領域の反対側端部と当接することにより、前記ガイド部材の回転を制限する回転制限手段を備えることを特徴とする請求項５、又は請求項６記載の画像形成装置。
【請求項８】
前記軸支部材は、
前記媒体の撓みに伴う前記ガイド部材の回転方向に対して抗する方向に前記ガイド部材を付勢する付勢部材を備えることを特徴とする請求項５乃至請求項７の何れか１項記載の画像形成装置。
【請求項９】
前記ガイド部材は、
透明な材質で形成されることを特徴とする請求項５乃至請求項８の何れか１項記載の画像形成装置。
【発明の詳細な説明】
【技術分野】
【０００１】
本発明は媒体搬送装置及び画像形成装置において、特に媒体の搬送に係るレジスト機構に関するものである。
【背景技術】
【０００２】
従来、例えば、ＬＥＤ（Light Emitting Diode）やレーザ等を用いて画像を形成する電子写真方式の画像形成装置においては、画像が形成される媒体を給紙、搬送、画像形成、定着、排出するための各ユニットが存在する。
【０００３】
このようなユニットの中で、媒体の搬送に係る搬送ユニットにおいては、例えば、特許文献１に開示されているように、給紙ユニットにより給紙された媒体を回転が停止したレジストローラのニップ部に一旦、当接させた後に、該レジストローラを回転させ、媒体の搬送を行うレジスト機構を備えたものがある。
【先行技術文献】
【特許文献】
【０００４】
【特許文献１】特開２００８−２０１５２３号公報
【発明の概要】
【発明が解決しようとする課題】
【０００５】
しかしながら、従来の技術においては、レジストローラのニップ部に対して、給紙ユニットが媒体を給紙し、当接させる力の量（当接量）は一定に設定されている。したがって、例えば、異なる種類の媒体を用いたり、異環境下において印刷を行うと、媒体の弛みが大きすぎて本来の当接量が得られず、レジスト効果が弱められるといった問題があった。
【０００６】
本発明は、このような実情に鑑みてなされたものであり、本発明の課題は、異なる種類の媒体を用いたり、異環境下において印刷を行ったとしても、適切なレジスト効果を得ることができる媒体搬送装置及び画像形成装置を提供することである。
【課題を解決するための手段】
【０００７】
上記課題を解決するために、本発明に係る媒体搬送装置は、レジストローラニップ部に媒体先端を当接させて撓ませた後、レジストローラを回転させて媒体を搬送させるレジストユニットを有する媒体搬送装置であって、前記レジストユニットは、前記レジストローラ近傍に設けられた軸支部材と、前記軸支部材を回転中心とするガイド部材とを備え、前記ガイド部材は、前記軸支部材による軸支位置近傍に突起状領域が形成され、媒体搬送方向下流側から上流側にかけて前記媒体の撓み形状に対応した湾曲状領域が形成されていることを特徴としている。
【０００８】
また、本発明に係る画像形成装置は、媒体を搬送させる媒体搬送手段と、搬送された前記媒体に画像を形成する画像形成手段とを有し、前記媒体搬送手段は、レジストローラニップ部に媒体先端を当接させて撓ませた後、レジストローラを回転させて媒体を搬送させるレジストユニットを有し、前記レジストユニットは、前記レジストローラ近傍に設けられた軸支部材と、前記軸支部材を回転中心とするガイド部材とを備え、前記ガイド部材は、前記軸支部材による軸支位置近傍に突起状領域が形成され、媒体搬送方向下流側から上流側にかけて前記媒体の撓み形状に対応した湾曲状領域が形成されていることを特徴としている。
【発明の効果】
【０００９】
本発明によれば、異なる種類の媒体を用いたり、異環境下において印刷を行ったとしても、適切なレジスト効果を得ることができる。
【図面の簡単な説明】
【００１０】
【図１】画像形成装置としてのプリンタの構成を説明する略断面図である。
【図２】第１の実施形態に係るレジスト部の構成を説明する斜視図である。
【図３】第１の実施形態に係るレジスト部の構成を説明する略断面図である。
【図４−ａ】第１の実施形態に係る動作を説明する図である。
【図４−ｂ】第１の実施形態に係る動作を説明する図である。
【図４−ｃ】第１の実施形態に係る動作を説明する図である。
【図４−ｄ】第１の実施形態に係る動作を説明する図である。
【図５】第２の実施形態に係るレジスト部の構成を説明する斜視図である。
【図６−ａ】第２の実施形態に係る動作を説明する図である。
【図６−ｂ】第２の実施形態に係る動作を説明する図である。
【図６−ｃ】第２の実施形態に係る動作を説明する図である。
【図６−ｄ】第２の実施形態に係る動作を説明する図である。
【図７】媒体詰まりの除去に係る動作を説明する図である。
【発明を実施するための形態】
【００１１】
以下、本発明の実施形態について図面を参照して説明する。なお、本発明は以下の記述に限定されるものではなく、本発明の要旨を逸脱しない範囲において適宜変更可能である。
【００１２】
［第１の実施形態］
図１は、本発明の第１の実施形態に係る画像形成装置としてのプリンタ１００の構成を説明する略断面図である。本実施形態の説明においては、画像形成装置の好適な一例としてプリンタについて説明する。
【００１３】
プリンタ１００は、プリンタ下部に挿抜自在には配設され、媒体搬送路の始端となる給紙カセット１０１と、給紙カセット１０１の上部に設けられた給紙ローラ２０１及び給紙サブローラ２０２と、給紙ローラ２０１により給紙された媒体を搬送する搬送部１０２と、搬送部１０２により搬送された媒体の先端を整列させ、転写ユニット１０５へ搬送するレジストユニットとしてのレジスト部２０３と、ＩＤユニット１０４が備える感光ドラム２０４の表面に照射された照射光を結像させる位置に配設され、該感光ドラム２０４の表面に静電潜像を形成させるＬＥＤヘッド１０３と、媒体搬送路に沿って配設され、プリンタ１００に対して着脱自在に装着された画像形成手段としてのＩＤユニット１０４と、ＩＤユニット１０４が備える感光ドラム２０４と対向する位置に設けられ、ＩＤユニット１０４により形成された可視像を媒体に転写させる転写ユニット１０５と、ＩＤユニット１０４よりも媒体搬送路下流に設けられ、媒体に転写された可視像を定着させる定着ユニット１０６と、定着ユニット１０６を通過した媒体を、プリンタ１００の外筐を利用して形成された媒体堆積部２１０に排出する排出ローラ部２０９と、排出ローラ部２０９により排出された媒体を堆積する媒体堆積部２１０とを備える。
【００１４】
給紙カセット１０１はその内部に媒体を積層した状態で収納し、プリンタ１００に対して挿抜自在に配設されている。
【００１５】
給紙ローラ２０１及び給紙サブローラ２０２は、図示せぬ駆動源から伝達された駆動力により所定の方向に回転し、給紙カセット１０１に収納された媒体を１枚ずつ分離して繰り出す。
【００１６】
搬送部１０２は、図示せぬ駆動源から伝達された駆動力により所定の方向に回転する搬送ローラ２１１ａ及び２１１ｂを備え、給紙ローラ２０１及び給紙サブローラ２０２により給紙された媒体をレジスト部２０３に搬送する。
【００１７】
レジスト部２０３は、レジストローラ３０１、該レジストローラに圧接した状態で配設されたプレッシャローラ３０２等を備え、搬送部１０２により搬送された媒体の先端を整列させることにより媒体のスキューを矯正し、転写ユニット１０５へ媒体を搬送する。レジスト部２０３の詳細な構成については後述する。
【００１８】
ＬＥＤヘッド１０３は、ＬＥＤからなる発光素子とレンズアレイ等を備え、発光素子から出力される照射光が感光ドラム２０４の表面に結像する位置に配設される。ＬＥＤヘッド１０３は、図示せぬ外部装置から入力された画像データ等に基づく照射光を照射することで感光ドラム２０４の表面上に静電潜像を形成させる。
【００１９】
ＩＤユニット１０４は、少なくとも、感光ドラム２０４の表面上に形成された静電潜像にトナーを付着させることで可視像を形成させる図示せぬ現像ローラ、該現像ローラにトナーを供給する図示せぬトナー供給ローラといった現像手段を備える。
【００２０】
転写ユニット１０５は、感光ドラム２０４と対向する位置に設けられた転写ローラにより転写電圧を与え、感光ドラム２０４表面上に形成された可視像を媒体に転写させる。
【００２１】
定着ユニット１０６は、定着ローラ２０６と、加圧ローラ２０７と、ヒータ２０８とを備える。定着ローラ２０６は、ヒータ２０８により加熱され、ローラ表面で未定着のトナーを溶融させる。加圧ローラ２０７は、図示せぬバネ等によって定着ローラ２０６に圧接されており、溶融したトナーを圧力を持って定着させる。ヒータ２０８は、例えば、ハロゲンランプから構成され、定着ローラ２０６を加熱する。
【００２２】
排出ローラ部２０９は、図示せぬ駆動源から伝達された駆動力により所定の方向に回転するローラを備え、定着ユニット１０６を通過した媒体を媒体堆積部２１０に排出する。
【００２３】
次に、図２、図３を用い、レジスト部２０３の構成について説明する。図２は、第１の実施形態に係るレジスト部の構成を説明する斜視図であり、図３は、略断面図である。
【００２４】
レジストローラ３０１は、例えば、ＳＵＳ３０４−Ｂの金属シャフト部とＥＰＤＭ（Ethylene Propylene Rubber）等のゴム部からなる。レジストローラ３０１は、図示せぬ駆動源とクラッチとから伝達された駆動力によって回転することにより、プレッシャローラ３０２との間で形成されるニップ部において媒体の先端を整列させ、搬送を行う。
【００２５】
プレッシャローラ３０２は、例えば、ＳＵＳ３０４−Ｂの金属シャフトからなり、図示せぬギアを介してレジストローラ３０１と連結されている。プレッシャローラ３０２は、レジストローラ３０１と所定の圧力をもって圧接しており、レジストローラ３０１の回転に伴って同時に回転、停止する。
【００２６】
ホルダ３０３は、レジストローラ３０１及びプレッシャローラ３０２を保持する保持部材である。
【００２７】
スプリング３０４はホルダ３０３に具備されており、プレッシャローラ３０２に付勢力を付与することで、レジスト部２０３に媒体の搬送力を与える。
【００２８】
メインフレーム３１０は、ホルダ３０３を含むレジスト部２０３を構成する全ての部材を保持する保持部材である。また、メインフレーム３１０は、搬送部１０２により搬送される媒体の内側搬送路を備える。
【００２９】
ガイド部材としてのレジストガイド５０１は、例えば、ＡＢＳ（acrylonitrile butadiene styrene）樹脂からなるプラスチック成形品である。レジストガイド５０１は、搬送部１０２により搬送される媒体の外側搬送路を備える。そして、レジストガイド５０１の回転支点部５０１ａ、５０１ｂは、それぞれメインフレーム３１０の軸支部材たる回転孔３１０ａ、３１０ｂに軸支されているため、レジストガイド５０１は回転支点部５０１ａ、５０１ｂを回転中心として回転自在となっている。また、レジストガイド５０１の外側搬送路には、アルファベットのＪの形状をした湾曲領域としての搬送ガイド部５０１ｅが形成されている。そして、搬送ガイド部５０１ｅの反対側端部には、ＩＤユニット１０４の回転制限手段たる底面部１０４ａと当接する突起部５０１ｃ、５０１ｄが形成されている。
【００３０】
そして、レジストガイド５０１の軸支位置近傍には、突起状領域たるガイド部５０１ｆが形成されている。、ガイド部５０１ｆは、内側搬送路であるメインフレーム３１０のガイド部３１０ｆと媒体搬送路を形成しており、レジストローラ３０１及びプレッシャローラ３０２から構成されるニップ部への媒体の誘い込みを容易にしている。
【００３１】
なお、上記構成以外にも、プリンタ１００は、図示せぬ、プリンタ１００全体を統括的に制御するＣＰＵ（Central Processing Unit）、ＣＰＵが実行する制御プログラムを記憶するＲＯＭ（Read Only Memory）や、ＣＰＵのワーキングエリアとして機能するＲＡＭ（Random Access Memory）等の記憶装置、外部装置等との間におけるデータの送受信を制御する各種インターフェース、プリンタ１００内部の温度や湿度を検出する温湿度センサや、濃度補正時に印字濃度を検出する濃度センサ等の各種センサ、プリンタ１００が備えるローラ部材等に駆動力を供給する駆動電源としての各種駆動モータを備える。
【００３２】
次に、上記レジスト部２０３を備えたプリンタ１００の印字動作について説明する。
【００３３】
例えば、図示せぬ外部装置から画像データが入力され、印字開始の実行指令が出力されると、給紙ローラ２０１及び給紙サブローラ２０２は、図示せぬ駆動モータから伝達された駆動力に基づき、一定周速度での回転を開始し、給紙カセット１０１に積層された媒体を１枚ずつ分離して繰り出す。
【００３４】
そして、レジストローラ３０１及びプレッシャローラ３０２は、搬送部１０２により搬送された媒体のスキューを矯正しながら、当該媒体を転写ユニット１０５に挟持搬送する。
【００３５】
レジストローラ３０１及びプレッシャローラ３０２により、媒体が転写ユニット１０５に挟持搬送される間の所定のタイミングで、感光ドラム２０４は、図示せぬ駆動モータから伝達された駆動力に基づき、一定周速度で回転を開始する。
【００３６】
次に、感光ドラム２０４表面に対して対向となる位置に設けられたＬＥＤヘッド１０３は、入力された画像データに基づく照射光を、図示せぬ帯電手段により一様均一に帯電された感光ドラム２０４表面に照射し、光照射部分の電位を光減衰させて静電潜像を形成させる。
【００３７】
ＩＤユニット１０４が備える図示せぬ現像ローラは、感光ドラム２０４表面上に形成された静電潜像にトナーを付着させて反転現像し、可視像を形成させる。
【００３８】
感光ドラム２０４表面上に可視像が形成されると、転写ローラは、図示せぬ転写ローラ用電源から印加された転写電圧によって、当該可視像を媒体に転写させる。
【００３９】
可視像が転写された媒体は、定着ローラ２０６と加圧ローラ２０７とで形成される圧接部に搬送される。この定着ローラ２０６と加圧ローラ２０７とで形成される圧接部を媒体が通過することにより、熱、及び圧力が付与され、媒体上のトナーが溶融し、可視像が定着される。
【００４０】
可視像が定着された媒体は、排出ローラ部２０９によって、最終的に媒体堆積部２１０に排出され、一連の印字動作が終了する。
【００４１】
次に、本実施形態のレジスト部２０３に係る動作について図４を用いて説明する。
【００４２】
まず、図４−ａに示すように、搬送部１０２の搬送ローラ２１１ａ、２１１ｂから搬送された媒体Ｐは、媒体搬送路を通って、その先端がレジストローラ３０１とプレッシャローラ３０２との間で形成されるニップ部に接触する。
【００４３】
ところで、レジストローラ３０１とプレッシャローラ３０２とは、搬送中に発生した媒体Ｐの傾きを補正し、当該媒体Ｐの先端を整列させるため、その回転を停止している。媒体Ｐの先端がニップ部に当接した状態で、搬送ローラ２１１ａ、２１１ｂの回転が継続すると、媒体Ｐには弛みが発生し、媒体Ｐの媒体搬送路上流側部分は、搬送ガイド部５０１ｅと接触することになる（図４−ｂ）。
【００４４】
そして、図４−ｃに示すように、弛みが徐々に大きくなると、媒体Ｐはその弛みによってレジストガイド５０１を上方に押し上げる。すると、レジストガイド５０１は、回転支点部５０１ａ、５０１ｂを回転中心として図中矢印Ａ方向に回転する。更に、弛みが発生して、突起部５０１ｃ、５０１ｄがＩＤユニット１０４の底面部１０４ａと当接すると、レジストガイド５０１の回転は停止する。その結果、媒体Ｐの弛みには、図中矢印Ｂ方向に弛みを潰す方向に力が発生することになり、ニップ部に向かって図中矢印Ｃ方向へと媒体Ｐの先端が押し付けられる力が発生する。
【００４５】
レジストガイド５０１の回転に伴い、ガイド部５０１ｆとメインフレーム３１０のガイド部３１０ｆとの間隔は狭くなっており、媒体Ｐの先端部は、レジストローラ３０１近傍において新たな弛みを発生することなく、整列させられることになる。
【００４６】
最後に、図４−ｄに示すように、レジストローラ３０１とプレッシャローラ３０２とが回転を開始すると、媒体Ｐは転写ユニット１０５に搬送される。更に媒体Ｐの弛みが解消されるまで搬送されると、レジストガイド５０１は図中矢印Ｄ方向に回転し、ガイド部５０１ｆとメインフレーム３１０のガイド部３１０ｆとの間隔は元の間隔に戻る。
【００４７】
以上のように、第１の実施形態によれば、Ｊ字形状に弛みが発生する回転支点を有するレジストガイドを備えることで、弛みによる力をレジストローラ方向に発生させるのみならず、弛みで発生したレジストガイドの回転によって、レジストローラ近傍の媒体搬送路の間隔を狭くすることができる。したがって、新たな弛みを発生させることなく、安定したレジスト効果を得ることができる。
【００４８】
なお、本実施形態の説明においては、ＡＢＳ樹脂にて成形した例について説明したが、製品の印刷速度や寿命に応じて、例えば、ＰＳ（polystyrene）、変性ＰＰＥ（polyphenyleneether）、ＰＰＨＯＸ（polyphenyleneoxide）、ＰＣ（polycarbonate）、ＰＭＭＡ（polymethyl methacrylate）、ＡＳ、ＳＡＮ（acrylonitrile styrene）等の成形樹脂を用いてもよく、板金に金属シャフトをカシメ加工を行ったレジストガイドであってもよい。
【００４９】
また、本実施形態の説明においては、一定の弛み以上が発生した場合には、ＩＤユニットの底面部にレジストガイドの突起部が当接するようにしたが、ガイド自身の自重や、媒体の厚み、更には、レジストローラへの当接させる媒体の弛み量によって、レジストガイドの回転の停止位置の規制の有無や手段は製品の事情によるところであり、弛みで発生したレジストガイドの回転によってレジストローラ近傍の搬送路の間隔を狭くする構成であれは、本発明から何ら外れることは無い。
【００５０】
［第２の実施形態］
第２の実施形態に係るプリンタ及びレジスト部の構成は、第１の実施形態において説明したものと略同一である。したがって、本実施形態の説明においては、第１の実施形態と同一な構成並びに動作についてはその説明を省略し、異なる箇所について説明する。
【００５１】
図５は、第２の実施形態に係るレジスト部２０３の構成を説明する斜視図である。
【００５２】
本実施形態に係るレジストガイド５０１は、レジストローラ３０１近傍での媒体詰まりが発生した場合の視認性を考慮し、例えば、ＰＣ樹脂からなる透明のプラスチック成形品である。そして、回転支点部５０１ａ、５０１ｂは、それぞれメインフレーム３１０の回転孔である３１０ａ、３１０ｂに取り付けられており、レジストガイド５０１は、は回転支点部５０１ａ、５０１ｂを回転中心として回転自在となっている。
【００５３】
付勢部材としてのガイドスプリング５０２は捩りバネである。ガイドスプリング５０２は、回転支点部５０１ａを案内棒とし、一端をメインフレーム３１０の取付用孔３１０ｇに、もう一端をレジストガイド５０１の取付用孔である５０１ｇに嵌めこむことで、レジストガイド５０１に付勢力を与える。また、突起部５０１ｃ、５０１ｄは、媒体詰まりが発生した場合の取っ手として機能する。
【００５４】
次に、本実施形態のレジスト部２０３に係る動作について図６を用いて説明する。
【００５５】
まず、図６−ａに示すように、搬送部１０２の搬送ローラ２１１ａ、２１１ｂから搬送された媒体Ｐは、媒体搬送路を通って、その先端がレジストローラ３０１とプレッシャローラ３０２との間で形成されるニップ部に接触する。
【００５６】
ところで、レジストローラ３０１とプレッシャローラ３０２とは、搬送中に発生した媒体Ｐの傾きを補正し、当該媒体Ｐの先端を整列させるため、その回転を停止している。媒体Ｐの先端がニップ部に当接した状態で、搬送ローラ２１１ａ、２１１ｂの回転が継続すると、媒体Ｐには弛みが発生し、媒体Ｐの媒体搬送路上流側部分は、搬送ガイド部５０１ｅと接触することになる（図６−ｂ）。
【００５７】
そして、弛みが徐々に大きくなると、媒体Ｐはその弛みによってレジストガイド５０１を上方に押し上げる。すると、レジストガイド５０１は、回転支点部５０１ａ、５０１ｂを回転中心として図中矢印Ａ方向に回転するが、回転支点部５０１ａに取り付けられたガイドスプリング５０２には捩りによる力が発生するため、媒体Ｐの弛みで発生する押し上げ力に抗する力が図中矢印Ｅ方向に発生することになる。レジストガイド５０１の回転が停止すると、媒体Ｐの弛みには、図中矢印Ｂ方向に弛みを潰す方向に力が発生することになり、ニップ部に向かって図中矢印Ｃ方向へと媒体Ｐの先端が押し付けられる力が発生する。ガイド部５０１ｆとメインフレーム３１０のガイド部３１０ｆとの間隔は狭くなっており、媒体Ｐの先端部は、レジストローラ３０１近傍において新たな弛みを発生することなく、整列させられることになる。
【００５８】
ところで、媒体Ｐの厚みが厚い場合や、弛み量が大きく発生する場合は、図６−ｃに示すように、媒体Ｐの弛みにより押し上がったレジストガイド５０１の突起部５０１ｃ、５０１ｄは、ＩＤユニット１０４の底面部１０４ａと当接し、レジストガイド５０１の回転は停止することになる。その結果、媒体Ｐの弛みには、図中矢印Ｂ方向に弛みを潰す方向に力が発生することになり、ニップ部に向かって図中矢印Ｃ方向へと媒体Ｐの先端が押し付けられる力が発生する。
【００５９】
レジストガイド５０１の回転に伴い、ガイド部５０１ｆとメインフレーム３１０のガイド部３１０ｆとの間隔は狭くなっており、媒体Ｐの先端部は、レジストローラ３０１近傍において新たな弛みを発生することなく、整列させられることになる。
【００６０】
最後に、図６−ｄに示すように、レジストローラ３０１とプレッシャローラ３０２とが回転を開始すると、媒体Ｐは転写ユニット１０５に搬送される。更に媒体Ｐの弛みが解消されるまで搬送されると、レジストガイド５０１は図中矢印Ｄ方向に回転し、ガイド部５０１ｆとメインフレーム３１０のガイド部３１０ｆとの間隔は元の間隔に戻る。
【００６１】
以上のように、第２の実施形態によれば、レジストガイドにガイドスプリングを設けることにより、レジストガイドの自重に頼ることなく、また、弛み量や使用可能な媒体に応じてレジストガイドへの押し付け力を調整することができる。また、本実施形態においては、図７に示すように、レジストガイドを透明な材料で成形したため、レジスト部近傍での媒体詰まり発生時においても、媒体の視認性が優れているとともに、媒体詰まり解消時には、ガイドスプリングの付勢力により、レジストガイドは自動的に図中矢印Ｆ方向に回転して元の位置に戻るため、ユーザが媒体詰まりの度にレジストガイドを元の状態に戻す手間や、戻し忘れによるレジストガイドの破損といった恐れがない。
【００６２】
なお、本実施形態の説明においては、ＡＢＳ樹脂にて成形した例について説明したが、製品の印刷速度や寿命に応じて、例えば、ＰＳ、変性ＰＰＥ、ＰＰＨＯＸ、ＰＣ、ＰＭＭＡ、ＡＳ、ＳＡＮ等の成形樹脂を用いてもよく、板金に金属シャフトをカシメ加工を行ったレジストガイドであってもよい。
【００６３】
また、本実施形態の説明においては、一定の弛み以上が発生した場合には、ＩＤユニットの底面部にレジストガイドの突起部が当接するようにしたが、ガイド自身の自重や、媒体の厚み、更には、レジストローラへの当接させる媒体の弛み量によって、レジストガイドの回転の停止位置の規制の有無や手段は製品の事情によるところであり、弛みで発生したレジストガイドの回転によってレジストローラ近傍の搬送路の間隔を狭くする構成であれは、本発明から何ら外れることは無い。
【００６４】
本発明に係る実施形態の説明においては、プリンタを一例として説明したが、プリンタ以外にもファクシミリ機、複写機、又は各種の機能を併せ持つ複合機に本発明を適用してもかまわない。また、プリンタとしては、インクジェット方式、電子写真方式、熱転写方式等のいかなる種類の印刷方式を適用した装置であってもよい。さらに、本発明に係る実施形態の説明においては、ＩＤユニットを１つ備えたプリンタについて説明したが、例えば、ブラック、イエロー、マゼンタ、シアンといった異なるトナー色に基づく画像を現像可能な複数のＩＤユニットを備えたカラープリンタ等にも本発明を適用することも無論、可能である。
【符号の説明】
【００６５】
１００  プリンタ
１０１  給紙カセット
１０２  搬送部
１０３  ＬＥＤヘッド
１０４  ＩＤユニット
１０５  転写ユニット
１０６  定着ユニット
２０１  給紙ローラ
２０２  給紙サブローラ
２０３  レジスト部
２０４  感光ドラム
２０６  定着ローラ
２０７  加圧ローラ
２０８  ヒータ
２０９  排出ローラ部
２１０  媒体堆積部
２１１ａ、２１１ｂ  搬送ローラ
３０１  レジストローラ
３０２  プレッシャローラ
３０３  ホルダ
３０４  スプリング
３１０  メインフレーム
３１０ａ、３１０ｂ  回転孔
５０１  レジストガイド
５０１ａ、５０１ｂ  回転支点部
５０１ｃ、５０１ｄ  突起部
５０１ｅ  搬送ガイド部
【図１】
2013170018.tif 000003
【図２】
2013170018.tif 000004
【図３】
2013170018.tif 000005
【図４−ａ】
2013170018.tif 000006
【図４−ｂ】
2013170018.tif 000007
【図４−ｃ】
2013170018.tif 000008
【図４−ｄ】
2013170018.tif 000009
【図５】
2013170018.tif 000010
【図６−ａ】
2013170018.tif 000011
【図６−ｂ】
2013170018.tif 000012
【図６−ｃ】
2013170018.tif 000013
【図６−ｄ】
2013170018.tif 000014
【図７】
2013170018.tif 000015